(57)【要約】【課題】部品点数の削減と組立性の向上を図ることのできるジョイントコネクタ装置を提供すること。【解決手段】一端部にジョイント端子１０を収容保持したコネクタハウジング３０の他端部に配列された雌端子収容孔３４に雌型端子金具２０を装着する前に、コネクタハウジング３０に端子装着用治具４１を組み付けると、治具挿通穴３８に挿入される端子装着用治具４１の治具本体４１ａがコネクタハウジング３０のランス３６を雌端子収容孔３４から退避するように撓み変位させ、雌型端子金具２０が規定位置に到達すると、雌型端子金具２０上の部位との干渉により治具本体４１ａとランス３６との係合が解除されて、雌型端子金具２０を抜け止めする状態にランス３６を戻す。【選択図】図７
2012169185.tif 000002
【特許請求の範囲】
【請求項１】
複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具と前記タブ片とを嵌合状態にする雌端子収容孔が配列されたハウジング他端部と、前記雌端子収容孔に沿って延出する弾性片の自由端側に前記雌端子収容孔に向かって突出する端子係止突起を備えて前記規定位置に挿入された前記雌型端子金具を前記端子係止突起により抜け止めするランスと、前記ランスの自由端側を外面に露出させるようにハウジング外壁に貫通形成された複数の治具挿通穴と、を有する樹脂製のコネクタハウジングと、
前記雌型端子金具の装着前に前記コネクタハウジングに組み付けられると、前記治具挿通穴に挿入される治具本体を前記ランスの自由端に係合させて、前記端子係止突起が前記雌端子収容孔から退避するように前記ランスを撓み変形させると共に、前記雌型端子金具が前記規定位置に到達したときに、前記雌型端子金具上の部位との干渉により、前記治具本体とランスとの係合が解除されて、前記雌型端子金具を抜け止めする状態に前記ランスを戻す端子装着用治具と、
を備えたことを特徴とするジョイントコネクタ装置。
【請求項２】
前記雌型端子金具は、前記雌端子収容孔への挿入方向に沿って延在する挿入案内用突片を備え、
前記コネクタハウジングは、前記雌型端子金具の雌端子収容孔への挿入時に前記挿入案内用突片を摺動可能に収容して前記雌型端子金具を前記規定位置に案内するガイド溝を備え、
前記雌型端子金具が前記規定位置に到達したときに、前記挿入案内用突片が前記治具本体に突き当たって、前記治具本体と前記ランスとの係合を解除することを特徴とする請求項１に記載のジョイントコネクタ装置。
【発明の詳細な説明】
【技術分野】
【０００１】
本発明は、複数の雌型端子金具相互をジョイント端子により導通接続するジョイントコネクタ装置に関する。
【背景技術】
【０００２】
図８は、ジョイントコネクタの従来例を示したものである。
このジョイントコネクタ１００は、下記特許文献１に開示されたもので、ジョイント端子（バスバー）１１０と、複数本の雌型端子金具１２０と、第１のコネクタハウジング１３０と、第２のコネクタハウジング１４０と、を備えている。
【０００３】
ジョイント端子１１０は、金属板のプレス成形品で、雌型端子金具１２０を嵌合接続する複数本のタブ片１１１と、これらのタブ片１１１を導通接続した連結部１１２と、を備える。
【０００４】
雌型端子金具１２０は、金属板のプレス成形品で、タブ片１１１が嵌合する角筒状の箱部１２１と、該箱部１２１の後端から延出して電線１５０を圧着する電線加締め部１２２と、抜け止め用の係合凹部１２３と、を備える。
【０００５】
第１のコネクタハウジング１３０は、樹脂の射出成型品で、ハウジング一端部１３１と、該ハウジング一端部１３１から延出した筒状のフード部１３２と、を備える。
【０００６】
ハウジング一端部１３１は、タブ片１１１をハウジングの他端１３０ａ（図８では、右端）側に向けて、ジョイント端子１１０を収容保持する。このハウジング一端部１３１は、例えば、インサート成形により、ジョイント端子１１０を保持する。
【０００７】
フード部１３２は、第２のコネクタハウジング１４０を嵌合させる筒状部である。このフード部１３２には、嵌合した第２のコネクタハウジング１４０を固定するためのロック穴部１３４が設けられている。
【０００８】
第２のコネクタハウジング１４０は、雌型端子金具１２０を収容保持して、第１のコネクタハウジング１３０に嵌合接続される。
【０００９】
第２のコネクタハウジング１４０は、雌型端子金具１２０を収容する複数の雌端子収容孔１４１と、雌端子収容孔１４１内に挿入された雌型端子金具１２０を抜け止めするランス１４２と、第１のコネクタハウジング１３０との結合状態をロックするロック突起１４３と、を備える。
【００１０】
ランス１４２は、雌端子収容孔１４１に沿って延出する弾性片１４２ａの自由端側に、雌端子収容孔１４１に向かって突出する端子係止突起１４２ｂを備えている。このランス１４２は、雌端子収容孔１４１に雌型端子金具１２０が挿入されている途中では、雌型端子金具１２０の箱部１２１と端子係止突起１４２ｂとの干渉により、端子係止突起１４２ｂが雌端子収容孔１４１の外側に退避するように、弾性片１４２ａが撓み変形して雌型端子金具１２０の挿入を許容する。そして、雌型端子金具１２０が規定位置まで挿入されると、端子係止突起１４２ｂの弾性復元力で端子係止突起１４２ｂが雌型端子金具１２０の係合凹部１２３に係合して、雌型端子金具１２０を抜け止めする。
【００１１】
ロック突起１４３は、第１のコネクタハウジング１３０と第２のコネクタハウジング１４０とが正常に嵌合完了したときに、第１のコネクタハウジング１３０のロック穴部１３４に係合して、コネクタハウジング相互の結合状態をロックする。
【００１２】
以上のジョイントコネクタ１００では、第２のコネクタハウジング１４０に装着されている雌型端子金具１２０が規定位置に到達していない半嵌合（不完全挿入）状態のときに、それを検知する半嵌合検知手段として、第１のコネクタハウジング１３０のハウジング一端部１３１に、半嵌合検知突起１３５を備えている。
【００１３】
この半嵌合検知突起１３５は、第１のコネクタハウジング１３０と第２のコネクタハウジング１４０とを嵌合させたとき、ランス１４２の退避用空間１４５に挿入される突起である。雌型端子金具１２０が雌端子収容孔１４１に半嵌合状態のときは、ランス１４２が退避用空間１４５側に撓み変位しているため、ハウジング相互を嵌合させた際に、半嵌合検知突起１３５が退避用空間１４５に変位しているランス１４２の先端に干渉して、ハウジング相互の嵌合が阻害されることで、雌型端子金具１２０が半嵌合状態であることが検知される。
【先行技術文献】
【特許文献】
【００１４】
【特許文献１】特開平８−２５０１８５号公報
【発明の概要】
【発明が解決しようとする課題】
【００１５】
ところが、特許文献１に記載のジョイントコネクタ１００では、ジョイント端子１１０を収容保持する第１のコネクタハウジング１３０と、雌型端子金具１２０を収容保持する第２のコネクタハウジング１４０とが別体で、部品点数が多くなるという問題があった。
【００１６】
また、ジョイント端子１１０と雌型端子金具１２０とを嵌合接続させるには、第１のコネクタハウジング１３０と第２のコネクタハウジング１４０とを嵌合接続する工程が必要で、組立工程数が多くなるため、組立性の向上が難しいという問題もあった。
【００１７】
更に、第２のコネクタハウジング１４０を抜け止めするランス１４２が、第２のコネクタハウジング１４０に雌型端子金具１２０を挿入する際の抵抗となるため、雌型端子金具１２０の装着に手間がかかるという問題もあった。
【００１８】
また、雌型端子金具１２０の半嵌合検知手段として、ジョイント端子１１０に半嵌合検知突起１３５を形成しており、半嵌合検知突起１３５の装備のために、第１のコネクタハウジング１３０の構造が複雑化するという問題もあった。
【００１９】
そこで、本発明の目的は、上記課題を解消することに係り、部品点数の削減と組立性の向上を図ることのできるジョイントコネクタ装置を提供することにある。
【課題を解決するための手段】
【００２０】
本発明の前述した目的は、下記の構成により達成される。
（１）  複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具と前記タブ片とを嵌合状態にする雌端子収容孔が配列されたハウジング他端部と、前記雌端子収容孔に沿って延出する弾性片の自由端側に前記雌端子収容孔に向かって突出する端子係止突起を備えて前記規定位置に挿入された前記雌型端子金具を前記端子係止突起により抜け止めするランスと、前記ランスの自由端側を外面に露出させるようにハウジング外壁に貫通形成された複数の治具挿通穴と、を有する樹脂製のコネクタハウジングと、
前記雌型端子金具の装着前に前記コネクタハウジングに組み付けられると、前記治具挿通穴に挿入される治具本体を前記ランスの自由端に係合させて、前記端子係止突起が前記雌端子収容孔から退避するように前記ランスを撓み変形させると共に、前記雌型端子金具が前記規定位置に到達したときに、前記雌型端子金具上の部位との干渉により、前記治具本体とランスとの係合が解除されて、前記雌型端子金具を抜け止めする状態に前記ランスを戻す端子装着用治具と、
を備えたことを特徴とするジョイントコネクタ装置。
【００２１】
（２）  前記雌型端子金具は、前記雌端子収容孔への挿入方向に沿って延在する挿入案内用突片を備え、
前記コネクタハウジングは、前記雌型端子金具の雌端子収容孔への挿入時に前記挿入案内用突片を摺動可能に収容して前記雌型端子金具を前記規定位置に案内するガイド溝を備え、
前記雌型端子金具が前記規定位置に到達したときに、前記挿入案内用突片が前記治具本体に突き当たって、前記治具本体と前記ランスとの係合を解除することを特徴とする上記（１）に記載のジョイントコネクタ装置。
【００２２】
上記（１）の構成によれば、ジョイント端子と雌型端子金具との嵌合接続は、一端にジョイント端子を収容保持し他端に雌型端子金具が挿入される単一のコネクタハウジングにより行うため、一対のコネクタハウジング相互を嵌合接続していた従来のジョイントコネクタと比較すると、部品点数を削減することができる。
【００２３】
また、コネクタハウジングからの雌型端子金具の抜け止めは、コネクタハウジングに装備されたランスと雌型端子金具との係合により行う。しかし、雌型端子金具を雌端子収容孔に挿入する際には、端子装着用治具によりランスが雌端子収容孔から退避させられる。
【００２４】
従って、コネクタハウジングに雌型端子金具を挿入する際に、ランスによる抵抗が雌型端子金具に作用しないため、雌型端子金具の挿入操作が容易になり、組立性の向上を図ることができる。
【００２５】
上記（２）の構成によれば、端子装着用治具がコネクタハウジングに装着されている状態で、雌型端子金具が雌端子収容孔の規定位置まで挿入されると、雌型端子金具に装備されている挿入案内用突片が端子装着用治具の治具本体に突き当たって、治具本体とランスとの係合を解除する。
【００２６】
換言すれば、雌型端子金具が雌端子収容孔の規定位置に到達するまでは、コネクタハウジングに装着された端子装着用治具の治具本体はランスに係合した状態が維持される。従って、治具本体とランスとの係合が解除されるか否かで、コネクタハウジングに装着した雌型端子金具が半嵌合状態であるか否かを検知することができる。従って、コネクタハウジングに専用の半嵌合検知構造を装備する必要がなくなるため、コネクタハウジングの構造を単純化することができる。
【発明の効果】
【００２７】
本発明によるジョイントコネクタ装置によれば、ジョイント端子と雌型端子金具との嵌合接続は、一端にジョイント端子を収容保持し他端に雌型端子金具が挿入される単一のコネクタハウジングにより行うため、一対のコネクタハウジング相互を嵌合接続していた従来のジョイントコネクタと比較すると、部品点数を削減することができる。
【００２８】
また、コネクタハウジングからの雌型端子金具の抜け止めは、コネクタハウジングに装備されたランスと雌型端子金具との係合により行う。しかし、雌型端子金具を雌端子収容孔に挿入する際には、端子装着用治具によりランスが雌端子収容孔から退避させられる。
【００２９】
従って、コネクタハウジングに雌型端子金具を挿入する際に、ランスによる抵抗が作用しないため、雌型端子金具の挿入操作が容易になり、組立性の向上を図ることができる。
【図面の簡単な説明】
【００３０】
【図１】本発明に係るジョイントコネクタ装置の一実施形態の分解斜視図である。
【図２】図１に示した雌型端子金具の先端側斜め上方から視た斜視図である。
【図３】図１に示したコネクタハウジングの他端側斜め下方から視た斜視図である。
【図４】図１に示したコネクタハウジングの底面図である。
【図５】図１に示したコネクタハウジングの雌端子収容孔の底部の構造を示す斜視図である。
【図６】図１に示したコネクタハウジングの治具挿通穴に端子装着用治具が挿入される工程の説明図である。
【図７】図１に示したコネクタハウジングの雌端子収容孔に雌型端子金具が挿入される工程の説明図である。
【図８】従来のジョイントコネクタの分解状態の縦断面図である。
【発明を実施するための形態】
【００３１】
以下、本発明に係るジョイントコネクタ装置の好適な実施形態について、図面を参照して詳細に説明する。
【００３２】
図１〜図４は本発明に係るジョイントコネクタ装置の一実施形態を示したもので、図１は本発明に係るジョイントコネクタ装置の一実施形態の分解斜視図、図２は図１に示した雌型端子金具の先端側斜め上方から視た斜視図、図３は図１に示したコネクタハウジングの他端側斜め下方から視た斜視図、図４は図１に示したコネクタハウジングの底面図である。
【００３３】
この一実施形態のジョイントコネクタ１は、図１に示すように、ジョイント端子１０と、雌型端子金具２０と、樹脂製のコネクタハウジング３０と、を備える。
【００３４】
ジョイント端子１０は、金属板のプレス成形品で、雌型端子金具２０を嵌合接続する複数本のタブ片１１とこれらのタブ片１１を導通接続した連結部１２と、を備える。
【００３５】
雌型端子金具２０は、金属板のプレス成形品で、図１及び図２に示すように、タブ片１１が嵌合する角筒状の箱部２１と、該箱部２１の後端から延出して電線を圧着する電線加締め部２２と、抜け止め用の係合凹部２３と、挿入案内用突片２４と、を備える。
【００３６】
電線加締め部２２は、電線の導体を圧着する導体加締め片２２ａと、電線の被覆部に加締め付けることで電線を固定する被覆加締め片２２ｂとを備える。
【００３７】
本実施形態の場合、抜け止め用の係合凹部２３は箱部２１の後端側に形成される窪みである。
【００３８】
挿入案内用突片２４は、箱部２１の後端寄りの位置において、後述するコネクタハウジング３０の雌端子収容孔への挿入方向に沿って延在する舌状片である。この挿入案内用突片２４は、箱部２１の側壁の一部を延長して折り曲げ成形することで、舌状に形成されている。
【００３９】
コネクタハウジング３０は、樹脂の射出成型品で、ハウジング一端部３１と、該ハウジング一端部３１とは逆側の端部であるハウジング他端部３２と、を備えている。
【００４０】
ハウジング一端部３１は、図６に示すように、タブ片１１をハウジング他端部３２側に向けて、ジョイント端子１０を収容保持する。
【００４１】
ハウジング他端部３２には、図３〜図５に示すように、複数の雌端子収容孔３４が配列されている。これらの複数の雌端子収容孔３４は、雌型端子金具２０を規定位置まで挿入することで雌型端子金具２０とタブ片１１とを嵌合状態にする孔である。ここに、規定位置とは、タブ片１１と箱部２１とが、電気的な接続に必要十分な接触長を得る位置である。
【００４２】
雌端子収容孔３４には、図５に示すように、ガイド溝３５が設けられている。
ガイド溝３５は、雌型端子金具２０の雌端子収容孔３４への挿入時に、挿入案内用突片２４を摺動可能に収容して、雌型端子金具２０を規定位置に案内する。
【００４３】
本実施形態の場合、コネクタハウジング３０の下面壁には、図３〜図６に示すように、各雌端子収容孔３４と連通するように、各雌端子収容孔３４の位置に対応して、ランス３６と、タブ視認用窓部３７と、治具挿通穴３８と、が備えられている。
【００４４】
ランス３６は、図５及び図６に示すように、雌端子収容孔３４に沿って延出する弾性片３６ａと、この弾性片３６ａの自由端（図５では右端）に突設された端子係止突起３６ｂと、治具連結用凸部３６ｃと、を備えている。
【００４５】
端子係止突起３６ｂは、雌端子収容孔３４に向かって突出していて、図７（ｂ）に示すように、規定位置に挿入された雌型端子金具２０の係合凹部２３に係合することで、雌型端子金具２０を抜け止めする。
【００４６】
治具連結用凸部３６ｃは、図５及び図６に示すように、ランス３６の自由端に、タブ片１１側に突出した突起状に設けられている。この治具連結用凸部３６ｃは、後述の端子装着用治具４１が係合する部位である。
【００４７】
タブ視認用窓部３７は、図４に示すように、タブ片１１の先端部を目視できる位置に開口しており、タブ片１１に箱部２１が嵌合した状態を目視することが可能である。
【００４８】
治具挿通穴３８は、図６及び図７に示すコネクタ組み立て装置４０の端子装着用治具４１を挿入するための開口である。この治具挿通穴３８は、治具連結用凸部３６ｃを含むランス３６の自由端及びその周縁を外面に露出させるように、ハウジング外壁に貫通形成されている。
【００４９】
コネクタ組み立て装置４０は、コネクタハウジング３０の雌端子収容孔３４に雌型端子金具２０を装着する前に、図６及び図７に示すように、コネクタハウジング３０が組み付けられる。
【００５０】
コネクタ組み立て装置４０は、図６及び図７に示すように、治具挿通穴３８を有したコネクタハウジング３０の下面壁が載置される基台部４２と、基台部４２に載置されたコネクタハウジング３０の一端面に当接して雌型端子金具２０の挿入方向（図６（ａ）の矢印Ｘ２方向）へのコネクタハウジング３０の移動を規制する端部当接部４３と、治具挿通穴３８に挿入される端子装着用治具４１と、を備えている。
【００５１】
端子装着用治具４１は、図６に示すように、基台部４２に、組み込まれている。
基台部４２に組み込まれた端子装着用治具４１は、図６に矢印Ｙ１，Ｙ２に示す上下方向、及び矢印Ｘ３で示す端子係合方向に移動可能に支持されている。
【００５２】
端子装着用治具４１は、図６（ｃ）に示すように、治具連結用凸部３６ｃに引っかかる鉤形の治具本体４１ａと、治具本体４１ａの上に隆起形成された係合解除用突起部４１ｂとを備えている。
【００５３】
端子装着用治具４１は、図６（ａ）に示すように基台部４２及び端部当接部４３にコネクタハウジング３０が位置決めされると、バネ４５による引張力に抗して図示しない引き上げ手段により矢印Ｙ１方向（図６では、上方向）に引き上げられ、図６（ｂ）に示すように治具挿通穴３８に挿通され、鉤状の治具本体４１ａの先端部が、治具連結用凸部３６ｃに係合可能な高さに位置決めされる。
【００５４】
治具連結用凸部３６ｃに係合可能な高さに位置決めされた端子装着用治具４１は、不図示の移動操作手段により、図６（ｂ）の矢印Ｘ３方向にスライド移動させられ、図６（ｃ）に示すように、治具本体４１ａが治具連結用凸部３６ｃに係合させられる。更に治具連結用凸部３６ｃに係合した端子装着用治具４１は、図６（ｃ）に矢印Ｙ２で示す方向に付勢される。この矢印Ｙ２方向の付勢は、バネ４５による引張力または不図示の付勢手段によってなされる。
【００５５】
図６（ｃ）の矢印Ｙ２方向への付勢により、ランス３６の自由端側は、図７（ａ）に示すように、雌端子収容孔３４から退避する方向に撓み変形させられる。このランス３６の雌端子収容孔３４から退避する方向への撓み変形により、ランス３６の端子係止突起３６ｂは、雌端子収容孔３４に挿入される雌型端子金具２０と干渉しない位置、又は干渉が大幅に減少する位置に下げられる。
【００５６】
そのため、雌型端子金具２０を雌端子収容孔３４に挿入する際に、雌型端子金具２０にランス３６との接触による抵抗がかからず、雌型端子金具２０の挿入時の操作力を軽減して、雌型端子金具２０の装着を容易にすることができる。図７（ａ）に示した矢印Ｘ４は、雌型端子金具２０の挿入方向を示している。
【００５７】
また、本実施形態の場合、雌型端子金具２０が規定位置に到達したときには、雌型端子金具２０上の挿入案内用突片２４が端子装着用治具４１上の係合解除用突起部４１ｂに突き当たって、この挿入案内用突片２４と係合解除用突起部４１ｂとの干渉により、図７（ｂ）に示すように端子装着用治具４１とランス３６との係合が解除される。図７（ｂ）に示すようにランス３６との係合が解除された端子装着用治具４１は、バネ４５の引張力によって、基台部４２内に埋没した初期状態に戻される。
【００５８】
即ち、本実施形態の場合、端子装着用治具４１は、雌型端子金具２０の装着前にコネクタハウジング３０に組み付けられると、治具挿通穴３８に挿入される治具本体４１ａをランス３６の自由端に係合させて、ランス３６の端子係止突起３６ｂが雌端子収容孔３４から退避するようにランス３６を撓み変形させる。また、端子装着用治具４１は、雌型端子金具２０が規定位置に到達したときに、雌型端子金具２０上の部位（挿入案内用突片２４）との干渉により、治具本体４１ａとランス３６との係合が解除されて、雌型端子金具２０を抜け止めする状態にランス３６を戻す。
【００５９】
また、本実施形態の場合、雌端子収容孔３４への挿入時にコネクタハウジング３０のガイド溝３５を摺動する雌型端子金具２０上の挿入案内用突片２４は、雌型端子金具２０が雌端子収容孔３４内の規定位置に到達したときに端子装着用治具４１に突き当たって、端子装着用治具４１とランス３６との係合を解除する係合解除手段としても機能する。
【００６０】
以上に説明した一実施形態のジョイントコネクタ１の構成によれば、ジョイント端子１０と雌型端子金具２０との嵌合接続は、一端にジョイント端子１０を収容保持し他端に雌型端子金具２０が挿入される単一のコネクタハウジング３０により行うため、一対のコネクタハウジング相互を嵌合接続していた従来のジョイントコネクタと比較すると、部品点数を削減することができる。
【００６１】
また、コネクタハウジング３０からの雌型端子金具２０の抜け止めは、コネクタハウジング３０に装備されたランス３６と雌型端子金具２０の係合凹部２３との係合により行う。しかし、雌型端子金具２０を雌端子収容孔３４に挿入する際には、端子装着用治具４１によりランス３６が雌端子収容孔３４から退避させられる。
【００６２】
従って、コネクタハウジング３０に雌型端子金具２０を挿入する際に、ランス３６による抵抗が雌型端子金具２０に作用しないため、雌型端子金具２０の挿入操作が容易になり、組立性の向上を図ることができる。
【００６３】
また、以上に説明した一実施形態のジョイントコネクタ１の構成によれば、端子装着用治具４１がコネクタハウジング３０に装着されている図６の状態で、図７に示すように雌型端子金具２０が雌端子収容孔３４の規定位置まで挿入されると、雌型端子金具２０に装備されている挿入案内用突片２４が端子装着用治具４１に突き当たって、端子装着用治具４１とランス３６との係合を解除する。
【００６４】
換言すれば、雌型端子金具２０が雌端子収容孔３４の規定位置に到達するまでは、コネクタハウジング３０に装着された端子装着用治具４１の治具本体４１ａはランス３６に係合した状態が維持される。従って、端子装着用治具４１とランス３６との係合が解除されるか否かで、コネクタハウジング３０に装着した雌型端子金具２０が半嵌合状態であるか否かを検知することができる。従って、コネクタハウジング３０に専用の半嵌合検知構造を装備する必要がなくなるため、コネクタハウジング３０の構造を単純化することができる。
【００６５】
なお、本発明のジョイントコネクタ装置は、前述した各実施形態に限定されるものでなく、適宜な変形、改良等が可能である。
【００６６】
例えば、コネクタ組み立て装置において、端子装着用治具を図６（ｂ）の矢印Ｘ３方向に移動させる手段は、例えば、手動操作による適宜機構の他、モータやソレノイドを利用した電動式の移動機構を利用するようにしても良い。
【００６７】
また、端子装着用治具を上下方向に進退駆動する機構も、公知の各種の移動機構を利用することができる。
【符号の説明】
【００６８】
１  ジョイントコネクタ
１０  ジョイント端子
１１  タブ片
２０  雌型端子金具
２１  箱部
２４  挿入案内用突片
３０  コネクタハウジング
３１  ハウジング一端部
３２  ハウジング他端部
３４  雌端子収容孔
３５  ガイド溝
３６  ランス
３６ｂ  端子係止突起
３６ｃ  治具連結用凸部
３７  タブ視認用窓部
３８  治具挿通穴
４０  コネクタ組み立て装置
４１  端子装着用治具
４１ａ  治具本体
４１ｂ  係合解除用突起部
４２  基台部
４３  端部当接部
４５  バネ
【図１】
2012169185.tif 000003
【図２】
2012169185.tif 000004
【図３】
2012169185.tif 000005
【図４】
2012169185.tif 000006
【図５】
2012169185.tif 000007
【図６】
2012169185.tif 000008
【図７】
2012169185.tif 000009
【図８】
2012169185.tif 000010